(57)【要約】【課題】パチンコ遊技場における使用電力量の変動を抑制可能にする。【解決手段】遊技機が設置されるパチンコ遊技場は、仮想通貨におけるマイニングのための処理を実施するマイニングマシンと、当該パチンコ遊技場において電力を使用する特定の機器の稼働が停止している期間において、マイニングマシンを稼働させるコンピュータと、を備える。例えば、コンピュータは、パチンコ遊技場の非営業期間の一部又は全部である所定期間中か否かを判定し、所定期間中であると判定した場合に（Ｓ１４０：ＹＥＳ）、マイニングマシンを稼働させる（Ｓ１５０）。【選択図】図３
2020075035.tif 000002
【特許請求の範囲】
【請求項１】
遊技機が設置されるパチンコ遊技場であって、
仮想通貨におけるマイニングのための処理を実施するマイニング装置と、
当該パチンコ遊技場において電力を使用する特定の機器の稼働が停止している期間において、前記マイニング装置を稼働させるように構成された稼働制御装置と、を備える、
パチンコ遊技場。
【請求項２】
請求項１に記載のパチンコ遊技場であって、
前記特定の機器は、前記遊技機を用いた遊技を客に行わせる当該パチンコ遊技場の営業のために、電力を使用して稼働する機器である、
パチンコ遊技場。
【請求項３】
請求項２に記載のパチンコ遊技場であって、
前記稼働制御装置は、当該パチンコ遊技場が営業しない非営業期間の一部又は全部である所定期間中であるか否かを判定し、前記所定期間中であると判定した場合に、前記マイニング装置を稼働させるように構成されている、
パチンコ遊技場。
【請求項４】
請求項１又は請求項２に記載のパチンコ遊技場であって、
前記稼働制御装置は、前記特定の機器が稼働しているか否かを監視し、前記特定の機器が稼働していないと判定した場合に、前記マイニング装置を稼働させるように構成されている、
パチンコ遊技場。
【請求項５】
請求項１又は請求項２に記載のパチンコ遊技場であって、
前記特定の機器は、当該パチンコ遊技場に設置された複数の前記遊技機の少なくとも１つであり、
前記マイニング装置は、前記特定の機器としての遊技機に対応付けされており、
前記稼働制御装置は、前記特定の機器としての遊技機が遊技者に使用されているか否かを監視し、当該遊技機が遊技者に使用されていない場合に、当該遊技機が稼働していないと判定して、当該遊技機に対応する前記マイニング装置を稼働させるように構成されている、
パチンコ遊技場。
【発明の詳細な説明】
【技術分野】
【０００１】
本開示は、パチンコ遊技場に関する。
【背景技術】
【０００２】
例えば、下記特許文献１には、複数の遊技機が設けられたパチンコ遊技場が記載されている。また、法定通貨に代わる通貨として、仮想通貨を利用した商品の取引が普及してきている。例えば、下記特許文献２には、仮想通貨におけるマイニング（即ち、採掘）のための処理と、その処理を実施する端末とが、記載されている。仮想通貨におけるマイニング（以下、仮想通貨マイニングとも言う）は、仮想通貨の取引を承認するための計算作業のことである。
【先行技術文献】
【特許文献】
【０００３】
【特許文献１】特開２００８−２４６１９８号公報
【特許文献２】特許第６３４５８７１号公報
【発明の概要】
【発明が解決しようとする課題】
【０００４】
発明者の詳細な検討の結果、パチンコ遊技場における使用電力量の変動を抑制するのに適した技術がない、という課題が見出された。
そこで、本開示の一局面は、パチンコ遊技場における使用電力量の変動を抑制することが可能な技術を提供する。
【課題を解決するための手段】
【０００５】
本開示の一態様によるパチンコ遊技場は、仮想通貨におけるマイニングのための処理を実施するマイニング装置と、稼働制御装置と、を備える。そして、稼働制御装置は、当該パチンコ遊技場において電力を使用する特定の機器の稼働が停止している期間において、マイニング装置を稼働させる。
【０００６】
この構成によれば、パチンコ遊技場における使用電力量の変動を抑制することができる。パチンコ遊技場における使用電力量の変動が抑制されれば、電力会社にとって給電計画を立案し易くなるという利点がある。
【０００７】
前記特定の機器は、遊技機を用いた遊技を客に行わせる当該パチンコ遊技場の営業のために、電力を使用して稼働する機器であって良い。
この構成によれば、パチンコ遊技場が営業しない期間（即ち、非営業期間）において、マイニング装置を稼働させることができる。よって、パチンコ遊技場での１日における使用電力量の変動を抑制させ易い上に、マイニング装置を稼働させるために、電気料金が安価に設定された所定の深夜時間帯の電力（即ち、深夜電力）を利用し易い。
【０００８】
また、この場合、稼働制御装置は、当該パチンコ遊技場の非営業期間の一部又は全部である所定期間中であるか否かを判定し、この所定期間中であると判定した場合に、マイニング装置を稼働させるように構成されて良い。この構成によれば、少なくとも時刻に基づいて、マイニング装置の稼働を制御することができる。
【０００９】
また、稼働制御装置は、特定の機器が稼働しているか否かを監視し、特定の機器が稼働していないと判定した場合に、マイニング装置を稼働させるように構成されても良い。この構成によれば、特定の機器の実際の稼働状態に基づいて、マイニング装置の稼働を制御することができる。
また、特定の機器は、パチンコ遊技場に設置された複数の遊技機の少なくとも１つであって良く、マイニング装置は、特定の機器としての遊技機に対応付けされていて良い。この場合、稼働制御装置は、特定の機器としての遊技機が遊技者に使用されているか否かを監視し、当該遊技機が遊技者に使用されていない場合に、当該遊技機が稼働していないと判定して、当該遊技機に対応するマイニング装置を稼働させるように構成されて良い。このような構成によれば、例えば遊技機とマイニング装置との組み合わせを単位として、使用電力量の変動を抑制し易い。
【図面の簡単な説明】
【００１０】
【図１】第１実施形態のパチンコ遊技場の説明図である。
【図２】パチンコ機の裏側を表すと共に、パチンコ機にマイニングマシンが装着された状態を表す図である。
【図３】第１実施形態のコンピュータが実施する稼働制御処理を表すフローチャートである。
【図４】第２実施形態のコンピュータが実施する稼働制御処理を表すフローチャートである。
【図５】第３実施形態のパチンコ遊技場の説明図である。
【発明を実施するための形態】
【００１１】
以下、図面を参照しながら、本開示の実施形態を説明する。
［１．第１実施形態］
［１−１．パチンコ遊技場の構成］
図１に示すように、パチンコ遊技場１には、複数の遊技機としてパチンコ機３が列設されている。パチンコ遊技場１は、いわゆるパチンコ店である。パチンコ機３の表側には、遊技盤３ａ及び上皿３ｂ等が備えられている。
【００１２】
そして、複数のパチンコ機３は、当該パチンコ遊技場１におけるＬＡＮ４によって、コンピュータ５に接続されている。ＬＡＮは、ローカルエリアネットワークの略である。コンピュータ５は、ＣＰＵ６と、記憶部７とを備える。記憶部７には、ＣＰＵ６により実行されるプログラム等が記憶されている。コンピュータ５が行う後述の処理は、ＣＰＵ６が記憶部７内のプログラムを実行することで実現される。
【００１３】
［１−２．パチンコ機の構成］
図２に示すように、パチンコ機３の裏側において、当該パチンコ機３の外枠１１に収納された内枠１２には、遊技球（即ち、パチンコ球）を貯留する球タンク１３、タンクレール１４及び払出ユニット１５が設けられている。そして、払出ユニット１５の中には、払出装置が設けられている。パチンコ機３の表側にある遊技盤３ａの入賞口に遊技球が入賞すると、球タンク１３に貯留されている所定個数の賞球としての遊技球が、上記払出装置から払い出されて、パチンコ機３の表側にある上皿３ｂに払い出される。
【００１４】
また、パチンコ機３の裏側には、当該パチンコ機３を制御する制御装置１６と、電源装置１７と、外部接続端子盤１８と、が設けられている。
電源装置１７は、例えばパチンコ機３の電源プラグ１９から入力される商用交流電源から、当該パチンコ機３が動作するための電源電圧を生成して、当該パチンコ機３内の各部に供給する。
【００１５】
外部接続端子盤１８は、ＬＡＮ４に接続されている。そして、当該パチンコ機３の遊技状態や遊技結果を示す信号が、外部接続端子盤１８からコンピュータ５へ送られる。
また、コンピュータ５からの第１オン指令信号と第１オフ指令信号とが、外部接続端子盤１８を介して電源装置１７に与えられる。第１オン指令信号は、パチンコ機３の動作オン（即ち、稼働）を指令する信号であり、第１オフ指令信号は、パチンコ機３の動作オフ（即ち、稼働停止）を指令する信号である。
【００１６】
そして、電源装置１７は、第１オン指令信号が与えられると、電源電圧の出力を実施して、当該パチンコ機３を稼働させる。また、電源装置１７は、第１オフ指令信号が与えられると、電源電圧の出力を停止して、当該パチンコ機３の稼働を停止させる。電源装置１７は、第１オフ指令信号を受けてパチンコ機３の稼働を停止させた後は、第１オン指令信号を待つ待機状態になる。
【００１７】
更に、パチンコ機３の裏側において、例えば内枠１２に取り付けられた板状の装着部２２には、仮想通貨マイニングのための処理（以下、マイニング処理）を実施するマイニングマシン２１が取り付けられている。装着部２２は、マイニングマシン２１が着脱可能となるように構成されて良い。尚、マイニングマシン２１及びマイニング処理については、後で説明する。
【００１８】
そして、パチンコ機３には、マイニングマシン２１に動作用の電力を供給するための電源装置２３が備えられている。電源装置２３は、例えば上記商用交流電源から、マイニングマシン２１が動作するための電源電圧を生成して、複数の電源線２４に出力する。
【００１９】
電源装置２３から伸びた複数の電源線２４は、装着部２２に設けられた穴２５からパチンコ機３の外側に出ている。そして、複数の電源線２４の先端には、マイニングマシン２１に電力を供給するための電源コネクタ２６が設けられている。電源コネクタ２６は、１つであっても複数であっても良い。
【００２０】
また、装着部２２に設けられた他の穴２７からパチンコ機３の外側には、マイニングマシン２１を通信ネットワークに接続するための通信ケーブル２８が出ている。そして、通信ケーブル２８の先端には、マイニングマシン２１の通信ポートに接続される通信コネクタ２９が設けられている。
【００２１】
例えば、マイニングマシン２１が接続される通信ネットワークは、インターネットであり、通信ケーブル２８は、ＬＡＮケーブルである。通信ケーブル２８の通信コネクタ２９とは反対側は、例えば、外部接続端子盤１８を介して、パチンコ遊技場１に設けられたネットワーク機器に接続される。そして、そのネットワーク機器と通信ケーブル２８を介してマイニングマシン２１がインターネットに接続されるようになっている。ネットワーク機器は、例えばルータやモデムやＯＮＵ（即ち、光回線終端装置）等である。尚、通信ネットワークは、インターネットに限らず、仮想通貨システムの専用ネットワークであっても良い。
【００２２】
更に、パチンコ機３では、コンピュータ５からの第２オン指令信号と第２オフ指令信号とが、外部接続端子盤１８を介して電源装置２３に与えられる。第２オン指令信号は、マイニングマシン２１の動作オン（即ち、稼働）を指令する信号であり、第２オフ指令信号は、マイニングマシン２１の動作オフ（即ち、稼働停止）を指令する信号である。
【００２３】
そして、電源装置２３は、第２オン指令信号が与えられると、電源電圧の出力を実施して、マイニングマシン２１を稼働させる。また、電源装置２３は、第２オフ指令信号が与えられると、電源電圧の出力を停止して、マイニングマシン２１の稼働を停止させる。電源装置２３は、第２オフ指令信号を受けてマイニングマシン２１の稼働を停止させた後は、第２オン指令信号を待つ待機状態になる。
【００２４】
［１−３．マイニングマシンの構成］
図２に示すように、マイニングマシン２１は、直方体状の筐体３５と、少なくとも１つの回路基板３６と、を備える。尚、以下の説明において、上下の方向は、図２における上下の方向である。
【００２５】
回路基板３６には、マイニング処理を実施するための電子回路の一部又は全部が形成されている。回路基板３６の大部分は、筐体３５内に入っているが、回路基板３６の上端部分は、筐体３５の上側面に形成された穴から外部に露出している。
【００２６】
そして、回路基板３６において、筐体３５から露出した上端部分には、電力を受けるためのコネクタが設けられており、この回路基板３６のコネクタと上記電源コネクタ２６とが勘合することで、マイニングマシン２１に動作用の電力が供給される。
【００２７】
また、筐体３５の上側面には、直方体状の凸部３９が設けられており、凸部３９には、通信ポートが設けられている。この凸部３９の通信ポートと上記通信コネクタ２９とが勘合することで、マイニングマシン２１が通信ネットワーク上の他の装置と通信可能となる。尚、マイニングマシン２１が他の装置と通信するとは、マイニングマシン２１に備えられた電子回路であって、例えば回路基板３６又は筐体３５内の他の回路基板に形成された電子回路が、他の装置と通信する、ということである。また、マイニングマシン２１の通信ポートは、本実施形態ではＬＡＮポートであるが、ＵＳＢポート等の他の種類の通信ポートでも良い。
【００２８】
また、直方体状の筐体３５の面のうち、当該筐体３５の長手方向の両端面に相当する２つの各面には、筐体３５内を冷却するためのファン４１，４２が設けられている。そして、マイニングマシン２１においては、回路基板３６だけでなく、回路基板３６以外の回路基板及びファン４１，４２にも、上記電源コネクタ２６を介して電力が供給されるようになっている。
尚、他の例として、マイニングマシン２１は、筐体３５を備えない形態であっても良い。例えば、マイニングマシン２１は、マイニング処理を含む各処理を実施するための電子回路が搭載された回路基板の形態であっても良い。この場合、冷却用のファンは、回路基板に搭載されても良いし、パチンコ機３側に設けられても良い。また、この場合、例えば、マイニングマシン２１を成す回路基板に設けられた受電用のコネクタと、通信ポートとしてのコネクタとが、パチンコ機３における所定の回路基板に設けられている電源コネクタ２６及び通信コネクタ２９と勘合することで、マイニングマシン２１がパチンコ機３に装着されて良い。
【００２９】
［１−４．マイニングマシンで実施されるマイニング処理］
仮想通貨には、ブロックチェーンと呼ばれる技術が使用されており、その取引において、ハッシュ関数と公開鍵暗号方式とを用いることで、トランザクションの信頼性や安全性を担保している。ここで言うトランザクションとは、仮想通貨の取引の内容を示す取引情報のことである。
【００３０】
暗号技術を用いて生成されたトランザクションは、マイニング処理を行う端末（以下、マイナ端末と言う）の全てに対して、通信ネットワークを介しブロードキャストされる。ここで言うマイナ端末の中に、マイニングマシン２１が含まれる。送信されたトランザクションは、マイナ端末によって署名の検証がなされ、検証の結果、問題がなければ、ブロックに取り入れられる候補となる。マイナ端末は、ブロックを作成するが、ブロックのハッシュ値が、予め定められた所定条件を満たせば、そのブロックがマイナ端末からブロードキャストされ、ブロックチェーンに追加される。新規のトランザクションはブロックチェーンに追加されることで承認されることになる。
【００３１】
ここで、ブロックチェーンのブロックには、複数のトランザクションと、当該ブロックの一つ前のブロックのハッシュ値と、ブロックに対して求められる条件を満たす適切なナンス値とが、少なくとも格納されている。
【００３２】
そして、マイナ端末は、ブロックチェーンにブロックを追加する場合には、追加しようとする作成中のブロックに、通信ネットワークを介して収集した複数のトランザクションと、ブロックチェーンにおける現在末尾のブロックのハッシュ値と、任意のナンス値とを格納する。
【００３３】
更に、マイナ端末は、作成中のブロックに対して、ハッシュ関数を適用した場合のハッシュ値を計算し、計算したハッシュ値が所定条件を満たす値となるまで、作成中のブロックに格納するナンス値を変更して上記ハッシュ値の計算を繰り返す。尚、上記所定条件は、例えば、所定値以下、という条件である。
【００３４】
このように、新規のトランザクションを含むブロックのハッシュ値、即ち、ブロックチェーンに追加しようとするブロックのハッシュ値を計算して、そのハッシュ値が所定条件を満たすようになるナンス値（以下、目的のナンス値と言う）を探索するための計算処理が、マイニング処理である。
【００３５】
他のマイナ端末に先駆けて目的のナンス値を発見するためには膨大な計算量が必要であり、この計算量が膨大であることがブロックチェーンの内容の安全性、延いては、仮想通貨の安全性を担保する根拠となっている。また、仮想通貨のシステムでは、他のマイナ端末に先駆けて目的のナンス値を発見したマイナ端末の管理者、即ち、取引の承認に成功（いわゆるマイニングに成功）した者には、仮想通貨による所定額の報酬が与えられる。尚、マイニング処理に関しては、便宜上、マイニング（即ち、採掘）という一般的な言葉を使っているが、報酬の内容や報酬の有無を含むものではない。マイニング処理は、具体的例として前述の計算処理であるが、言い換えると、仮想通貨の取引（即ち、トランザクション）を承認するための処理であり、更に言い換えると、情報が格納されるブロックチェーンに新たなブロックを追加するための承認処理であると言える。
【００３６】
［１−５．コンピュータの処理］
コンピュータ５は、例えば一定時間毎に、図３の稼働制御処理を実行する。
図３に示すように、コンピュータ５は、稼働制御処理を開始すると、Ｓ１１０にて、現時点が当該パチンコ遊技場１の営業期間中であるか否かを判定する。営業期間は、当該パチンコ遊技場１が営業する期間であり、具体的には、営業日で且つ営業する時間帯（例えば、９時〜２２時）である。
【００３７】
そして、コンピュータ５は、上記Ｓ１１０にて、営業期間中であると判定した場合には、Ｓ１２０に進み、各パチンコ機３に前述の第１オン指令信号を送信することにより、各パチンコ機３を稼働させる。更に、コンピュータ５は、Ｓ１２０では、各パチンコ機３に前述の第２オフ指令信号を送信することにより、各マイニングマシン２１の稼働を停止させる。そして、その後、当該稼働制御処理を終了する。
【００３８】
また、コンピュータ５は、上記Ｓ１１０にて、営業期間中ではないと判定した場合、即ち、当該パチンコ遊技場１の非営業期間中であると判定した場合には、Ｓ１３０に進み、各パチンコ機３に前述の第１オフ指令信号を送信することにより、各パチンコ機３の稼働を停止させる。
【００３９】
そして、コンピュータ５は、次のＳ１４０にて、現時点が所定期間中であるか否かを判定する。所定期間は、当該パチンコ遊技場１の非営業期間の一部又は全部である。例えば、所定期間は、パチンコ遊技場１の営業日であるが営業しない時間帯の一部又は全部と、休業日の終日の一部又は全部との、一方又は両方であって良い。また、所定期間は、電気料金が安価な深夜電力料金になる期間（例えば、２３時から７時までの期間）を含んで良い。
【００４０】
そして、コンピュータ５は、上記Ｓ１４０にて、所定期間中であると判定した場合には、Ｓ１５０に進み、各パチンコ機３に前述の第２オン指令信号を送信することにより、各マイニングマシン２１を稼働させ、その後、当該稼働制御処理を終了する。また、コンピュータ５は、上記Ｓ１４０にて、所定期間中でないと判定した場合には、Ｓ１６０に進み、各パチンコ機３に前述の第２オフ指令信号を送信することにより、各マイニングマシン２１の稼働を停止させ、その後、当該稼働制御処理を終了する。
【００４１】
尚、当該パチンコ遊技場１の非営業期間の全部が、所定期間として設定される場合には、Ｓ１４０が削除されて、Ｓ１３０からＳ１５０へ進むように構成されて良い。この場合、Ｓ１１０の判定は、所定期間中か否かの判定でもある。
［１−６．効果］
以上詳述した実施形態によれば、以下の効果を奏する。尚、上記実施形態では、マイニングマシン２１がマイニング装置に相当し、コンピュータ５が稼働制御装置に相当する。
【００４２】
コンピュータ５は、当該パチンコ遊技場１の非営業期間の一部又は全部である所定期間中であると判定した場合に、マイニングマシン２１を稼働させる。このため、当該パチンコ遊技場１の営業のために電力を使用して稼働する特定の機器の稼働が停止している期間において、マイニングマシン２１を稼働させることになる。尚、当該パチンコ遊技場１の営業とは、遊技機の一例としてのパチンコ機３を用いた遊技を、客に行わせる営業のことである。また、当該パチンコ遊技場１の営業のために電力を使用して稼働する特定の機器の一例としては、パチンコ機３があり、他にも、例えば当該パチンコ遊技場１における照明機器や、空調装置や、モータの動力により各パチンコ機３に遊技球を供給する球供給装置等がある。
【００４３】
（ａ）上記のように、特定の機器の稼働が停止している期間において、マイニングマシン２１を稼働させることで、パチンコ遊技場１における使用電力量の変動を抑制することができる。パチンコ遊技場１における使用電力量の変動が抑制されれば、電力会社にとって給電計画を立案し易くなるという利点がある。
【００４４】
（ｂ）また、パチンコ遊技場１の非営業期間において、マイニングマシン２１を稼働させるため、パチンコ遊技場での１日における使用電力量の変動を抑制させ易い上に、マイニングマシン２１を稼働させるために、電気料金が安価な深夜電力を利用し易い。
【００４５】
（ｃ）コンピュータ５は、上記所定期間中であると判定した場合に、マイニングマシン２１を稼働させるように構成されるため、時刻及び暦の情報（即ち、カレンダー）に基づいて、マイニングマシン２１の稼働を制御することができる。
【００４６】
（ｄ）パチンコ機３にマイニングマシン２１が装着されるため、パチンコ遊技場１におけるマイニングマシン２１の設置場所が必然的に定まることになる。よって、パチンコ遊技場１におけるマイニングマシン２１のメンテナンスや管理が容易になる。
【００４７】
（ｅ）パチンコ機３は、マイニングマシン２１を通信ネットワークに接続する通信コネクタ２９と、マイニングマシン２１に電力を供給する電源コネクタ２６と、を備えるため、パチンコ遊技場１における特定の場所に、上記通信コネクタ２９及び電源コネクタ２６を別途設けなくても良い。
【００４８】
（ｆ）パチンコ遊技場１では、マイニングマシン２１の稼働による仮想通貨の報酬、詳しくは目的のナンス値を発見して新たなブロックがブロックチェーンに追加された場合の報酬が、収入源として期待できる。よって、パチンコ遊技場１にとっては、マイニングマシン２１の稼働によって得られる前述の報酬を、例えば電力供給設備などの費用にあてることができる。また、例えばコンピュータ５は、上記報酬の実績値あるいは予想値と、マイニングマシン２１を稼働させるのに必要な経費（例えば電気料金）とに基づいて、マイニングマシン２１の稼働による利益が無いあるいは見込めないと判定したなら、マイニングマシン２１の稼働を停止させる（即ち、稼働させない）機能を、更に備えても良い。
【００４９】
［２．第２実施形態］
［２−１．第１実施形態との相違点］
第２実施形態は、基本的な構成は第１実施形態と同様であるため、相違点について以下に説明する。尚、第１実施形態と同じ符号は、同一の構成を示すものであって、先行する説明を参照する。
【００５０】
第２実施形態のパチンコ遊技場１は、第１実施形態と比較すると、下記（２−１−１）〜（２−１−３）の点が異なる。
（２−１−１）パチンコ機３の稼働と稼働停止は、パチンコ遊技場１の従業員による所定の操作によって切り替えられる。ここでは、全てのパチンコ機３の稼働と稼働停止が、同時に切り替わるものとする。
【００５１】
（２−１−２）パチンコ機３からコンピュータ５へは、当該パチンコ機３が稼働しているか否かを示す稼働状態信号が出力される。
（２−１−３）コンピュータ５は、図３の稼働制御処理に代えて、図４の稼働制御処理を実行する。
【００５２】
［２−２．稼働制御処理］
図３に示すように、コンピュータ５は、稼働制御処理を開始すると、Ｓ２１０にて、パチンコ機３が稼働しているか否かを判定し、パチンコ機３が稼働していないと判定した場合には、Ｓ２２０に進む。尚、パチンコ機３が稼働しているか否かは、上記稼働状態信号に基づいて判定することができる。
【００５３】
そして、コンピュータ５は、Ｓ２２０では、各パチンコ機３に前述の第２オン指令信号を送信することにより、各マイニングマシン２１を稼働させ、その後、当該稼働制御処理を終了する。
【００５４】
また、コンピュータ５は、上記Ｓ２１０にて、パチンコ機３が稼働していると判定した場合には、Ｓ２３０に進み、各パチンコ機３に前述の第２オフ指令信号を送信することにより、各マイニングマシン２１の稼働を停止させる。そして、その後、当該稼働制御処理を終了する。
【００５５】
つまり、コンピュータ５は、特定の機器の一例であるパチンコ機３が稼働しているか否かを監視し、パチンコ機３が稼働していないと判定した場合に、マイニングマシン２１を稼働させる。
【００５６】
［２−３．効果］
第２実施形態においても、パチンコ機３の稼働が停止している期間において、マイニングマシン２１を稼働させる。このため、上記（ａ），（ｂ）で述べた効果が得られる。そして、上記（ｄ）〜（ｆ）で述べた効果も得られる。また、コンピュータ５は、パチンコ機３の実際の稼働状態に基づいて、マイニングマシン２１の稼働を制御することができる。
【００５７】
尚、他の例として、各パチンコ機３の稼働と稼働停止の切り替わりタイミングが、パチンコ機３毎に異なるのであれば、図４の処理は、パチンコ機３毎について実施されても良い。また例えば、コンピュータ５は、Ｓ２１０では、所定数以上のパチンコ機３が稼働しているか否かを判定し、所定数以上のパチンコ機３が稼働していないと判定した場合に、複数のマイニングマシン２１の一部又は全部を稼働させるようになっていても良い。上記所定数は、１であっても良いし、２以上であっても良い。また、コンピュータ５は、Ｓ２１０では、現時点が前述の所定期間中であるか否かを判定し、所定期間中であればＳ２２０に進み、所定期間中でなければＳ２３０に進むように構成されても良い。
【００５８】
［３．第３実施形態］
［３−１．第２実施形態との相違点］
第３実施形態は、基本的な構成は第２実施形態と同様であるため、相違点について以下に説明する。尚、第１及び第２実施形態と同じ符号は、同一の構成を示すものであって、先行する説明を参照する。
【００５９】
第３実施形態のパチンコ遊技場１は、第２実施形態と比較すると、下記（３−１−１），（３−１−２）の点が異なる。
（３−１−１）図５に示すように、コンピュータ５には、当該パチンコ遊技場１における照明機器９が稼働（即ち、点灯）しているか否かを示す点灯状態信号が入力される。
【００６０】
（３−１−２）コンピュータ５は、図５のＳ２１０では、照明機器９が稼働しているか否かを上記点灯状態信号に基づいて判定し、照明機器９が稼働していないと判定した場合には、Ｓ２２０に進み、照明機器９が稼働していると判定した場合には、Ｓ２３０に進む。
【００６１】
つまり、コンピュータ５は、特定の機器の一例である照明機器９が稼働しているか否かを監視し、照明機器９が稼働していないと判定した場合に、マイニングマシン２１を稼働させる。また、照明機器９は、当該パチンコ機３の営業期間において点灯し、非営業期間において消灯する。照明機器９は、当該パチンコ遊技場１の営業のために電力を使用して稼働する特定の機器の一例に相当する。
【００６２】
［３−２．効果］
第３実施形態では、照明機器９の稼働が停止している期間において、マイニングマシン２１を稼働させる。このような第３実施形態によっても、上記（ａ），（ｂ）で述べた効果が得られる。そして、上記（ｄ）〜（ｆ）で述べた効果も得られる。また、コンピュータ５は、照明機器９の実際の稼働状態に基づいて、マイニングマシン２１の稼働を制御することができる。
【００６３】
尚、他の例として、Ｓ２１０で稼働しているか否かが判定される対象は、例えば当該パチンコ遊技場１における空調装置や前述の球供給装置等であっても良い。
［４．他の実施形態］
以上、本開示の実施形態について説明したが、本開示は上述の実施形態に限定されることなく、種々変形して実施することができる。
【００６４】
例えば、コンピュータ５は、図４の処理と同様の下記の処理を、パチンコ機３毎に実施して良い。尚、ここでは、図４のステップ番号を用いて処理の内容を説明する。
コンピュータ５は、Ｓ２１０では、パチンコ機３が遊技者に使用されているか否かを判定する（即ち、監視する）。パチンコ機３が使用されているか否かは、例えば、パチンコ機３における遊技球の発射装置が操作されているか否かによって判定されたり、パチンコ機３に対応する椅子５に人が座っているか否かによって判定されたりして良い。そして、コンピュータ５は、Ｓ２１０にて、パチンコ機３が遊技者に使用されていると判定した場合には、パチンコ機３が稼働していると判定して、Ｓ２３０に進み、そのパチンコ機３に対応するマイニングマシン２１の稼働を停止させる。また、コンピュータ５は、Ｓ２１０にて、パチンコ機３が遊技者に使用されていないと判定した場合には、パチンコ機３が稼働していないと判定して、Ｓ２２０に進み、そのパチンコ機３に対応するマイニングマシン２１を稼働させる。このような構成によれば、パチンコ機３とマイニングマシン２１との組み合わせを単位として、使用電力量の変動を抑制し易い。
また、マイニングマシン２１は、パチンコ機３の裏側とは別の場所、例えば、パチンコ遊技場１においてパチンコ機３が列設されるパチンコ島台の内部又は上部や、パチンコ遊技場１における天井裏や壁の表面や壁の中等に、設けられても良い。
【００６５】
また、コンピュータ５は、パチンコ機３が稼働している場合、換言すれば、パチンコ遊技場１の営業期間において、マイニングマシン２１を、消費電力を通常時よりも低下させた状態で稼働させても良い。マイニングマシン２１の消費電力を低下させることは、例えば、マイニングマシン２１の計算能力を低下させることで実現されて良い。計算能力を低下させることは、例えばハッシュレート（即ち、単位時間あたりのハッシュ値の計算回数）を低下させることで実現されて良い。
【００６６】
また、遊技機としては、パチンコ機３に限らず、例えばスロットマシンでも良い。また、マイニングマシン２１が設けられる遊技場は、ゲームセンタ等、パチンコ遊技場以外の遊技場であっても良い。
また、マイニング装置としては、マイニング処理を実施するためのソフトウェアがインストールされたパーソナルコンピュータやタブレット型コンピュータ等の汎用コンピュータであっても良い。
【００６７】
また、パチンコ遊技場１でのマイニングマシン２１の稼働による仮想通貨の報酬を、例えば、当該パチンコ遊技場１における賞品として、あるいは、他のパチンコ遊技場における賞品として、あるいは、他の賭け事やイベントの賞品として、使用する賞品提供システム（賞品提供装置）があっても良い。他の賭け事としては、例えば、競馬、競艇、競輪、オートレースといった公営競技（いわゆる公営ギャンブル）や、宝くじ、ｔｏｔｏ等の公営くじや、ルーレットやトランプゲームやスロットマシン（ジャックポット付きのスロットマシンを含む）等のいわゆるカジノゲームであって良い。カジノゲームには、オンラインカジノ（ネットカジノとも呼ばれる）のゲームが含まれて良い。公営くじは公営ギャンブルの１つであるとも言える。また、イベントとしては、公営くじ以外のくじや、クイズ大会等であって良い。この場合、賞品提供システムは、例えば、各マイニングマシン２１の稼働によって得られた報酬としての仮想通貨を所定の口座（即ち、ウォレット）に蓄える蓄積部と、賞品提供対象の端末からの賞品要求を受けると、その賞品要求によって指示された量の仮想通貨を上記口座から上記賞品要求により指定された口座（即ち、仮想通貨アドレス）へ送金する処理を行う送金部と、を備える構成として良い。そして、賞品提供対象の端末は、例えば他のパチンコ遊技場や他の賭け事やイベントを管理する管理者の端末で良い。また、パチンコ遊技場１における遊技者の仮想通貨アドレスへ、上記賞品として仮想通貨が送金される場合、遊技者が賞品として得た仮想通貨のうち、遊技者が指定する量の仮想通貨を、次の遊技のための遊技媒体（例えば、遊技球やメダル）に換えることが可能な球貸装置が、パチンコ遊技場１に設置されても良い。
【００６８】
また、上記実施形態における１つの構成要素が有する複数の機能を、複数の構成要素によって実現したり、１つの構成要素が有する１つの機能を、複数の構成要素によって実現したりしても良い。また、複数の構成要素が有する複数の機能を、１つの構成要素によって実現したり、複数の構成要素によって実現される１つの機能を、１つの構成要素によって実現したりしても良い。また、上記実施形態の構成の一部を省略しても良い。
【符号の説明】
【００６９】
１…パチンコ遊技場、３…パチンコ機、３ａ…遊技盤、３ｂ…上皿、４…ＬＡＮ、５…コンピュータ、６…ＣＰＵ、７…記憶部、９…照明機器、１１…外枠、１２…内枠、１３…球タンク、１４…タンクレール、１５…払出ユニット、１６…制御装置、１７…電源装置、１８…外部接続端子盤、１９…電源プラグ、２１…マイニングマシン、２２…装着部、２３…電源装置、２４…電源線、２５…穴、２６…電源コネクタ、２７…穴、２８…通信ケーブル、２９…通信コネクタ、３５…筐体、３６…回路基板、３９…凸部、４１，４２…ファン。
【図１】
2020075035.tif 000003
【図２】
2020075035.tif 000004
【図３】
2020075035.tif 000005
【図４】
2020075035.tif 000006
【図５】
2020075035.tif 000007